(57)【要約】【課題】ヘッドフォンのイヤーパッドの選択に際し、ユーザーへの面倒を軽減する。【解決手段】ヘッドフォンのイヤーパッド１０は、円環状の緩衝材と、緩衝材を被覆する被覆材１４と、を備え、バッフルに対して着脱自在であり、被覆材１４は、円環状における小円１１ｂの一部を含み、円環状における大円１１ａの円周方向に沿って設けられる第１被覆材１４ａと、小円１１ｂにおける他部を含み、大円１１ａの円周方向に沿って設けられ、第１被覆材１４ａとは異なる第２被覆材１４ｂと、を有する。【選択図】図２
2018142765.tif 000002
【特許請求の範囲】
【請求項１】
ヘッドフォンのイヤーパッドであって、
円環状の緩衝材と、
前記緩衝材を被覆する被覆材と、
を備え、バッフルに対して着脱自在であり、
前記被覆材は、
前記円環状における小円の一部を含み、前記円環状における大円の円周方向に沿って設けられる第１被覆材と、  
前記小円における前記一部を除く他部を含み、前記大円の円周方向に沿って設けられ、前記第１被覆材とは異なる第２被覆材と、
を有することを特徴とするイヤーパッド。
【請求項２】
バッフルと、
円環状の緩衝材と、前記緩衝材を被覆する被覆材とを備え、前記バッフルに対して着脱自在のイヤーパッドと、
を含み、
前記被覆材は、
前記円環状における小円の一部を含み、前記円環状における大円の円周方向に沿って設けられる第１被覆材と、  
前記小円における前記一部を除く他部を含み、前記大円の円周方向に沿って設けられ、前記第１被覆材とは異なる第２被覆材と、
を有することを特徴とするヘッドフォン。
【発明の詳細な説明】
【技術分野】
【０００１】
本発明は、イヤーパッドおよびヘッドフォンに関する。
【背景技術】
【０００２】
ヘッドフォンは、ユーザーの耳介周辺にイヤーパッドが押し当てられて密着することで、周辺音に対する遮音性を確保するとともに、外部への音漏れを防止している。イヤーパッドは、ユーザーに直接触れるので、装着感に与える影響が大きい。このため、ユーザーに対する装着感を改善した技術が提案されている（特許文献１参照）。
【先行技術文献】
【特許文献】
【０００３】
【特許文献１】特開平１１−２７７７８号公報
【発明の概要】
【発明が解決しようとする課題】
【０００４】
しかしながら、イヤーパッドの素材等によってはユーザーの嗜好や感覚などに合わない場合がある。さらに、遮音性は、イヤーパッドの素材等に応じて異なるので、周辺環境によっては、必要な遮音性が得られない場合もあり得る。
【０００５】
そこで、異なる素材のイヤーパッドを多数用意しておき、ユーザーの嗜好や、用途、周辺環境等に応じて、適切なものを選択できるようにすることが考えられる。
しかしながら、ユーザーにとってみれば、多数のイヤーパッドを用意する必要があるだけでなく、場合によって多数のイヤーパッドを携帯する必要があるので、甚だ面倒である。
本発明は、このような事情に鑑みてなされたものであり、その目的の一つは、ユーザーへの面倒を軽減しつつ、周辺環境等に応じて適切なイヤーパッドを選択することができる技術を提供することにある。
【課題を解決するための手段】
【０００６】
上記目的を達成するために、本発明の一態様に係るイヤーパッドは、ヘッドフォンのイヤーパッドであって、円環状の緩衝材と、前記緩衝材を被覆する被覆材と、を備え、バッフルに対して着脱自在であり、前記被覆材は、前記円環状における小円の一部を含み、前記円環状における大円の円周方向に沿って設けられる第１被覆材と、前記小円における前記一部を除く他部を含み、前記大円の円周方向に沿って設けられ、前記第１被覆材とは異なる第２被覆材と、を有する。
上記一態様に係るイヤーパッドによれば、ユーザーは、１つのイヤーパッドを、第１被覆材側を耳介に当てて装着する場合と第２被覆材側を耳介に当てて装着する場合との少なくとも２通りで使うことができる。
なお、本発明は、上記イヤーパッドのみならず、当該イヤーパッドを着脱自在とするヘッドフォンとして概念することも可能である。
【図面の簡単な説明】
【０００７】
【図１】実施形態に係るイヤーパッドを含むヘッドフォンの構成を示す図である。
【図２】イヤーパッドの斜視図である。
【図３】イヤーパッドの構成を示す断面図である。
【図４】イヤーパッドの取付例を示す図である。
【図５】イヤーパッドの取付例を示す図である。
【発明を実施するための形態】
【０００８】
以下、本発明の実施形態について図面を参照して説明する。
図１は、本実施形態に係るヘッドフォン１の構成を示す図である。
この図に示されるように、ヘッドフォン１は、左右一対のバッフル５と、ヘッドバンド３と、を有する。バッフル５は、発音体を含むヘッドフォンユニットの一部を構成し、ヘッドバンド３の両端部にそれぞれ固定されている。バッフル５には、ユーザーの耳介に当たる（または、耳介を覆う）イヤーパッド１０が取り付けられている。
【０００９】
ヘッドバンド３は、弾力性を備える金属や樹脂などにより、長手方向に円弧を描く外形に形成されたものである。なお、ヘッドフォン１を装着する場合、ユーザーは、一対のバッフル５を持ってヘッドバンド３の円弧を広げつつ、イヤーパッド１０の各々をそれぞれ耳介に被せる。バッフル５に取り付けられたイヤーパッド１０には、ヘッドバンド３の弾力性によって端部同士を近づけようとする復元力が発生し、ユーザーの頭部に側圧を与える。この側圧によって、ヘッドフォン１は所定の位置で保持される。
【００１０】
図２は、イヤーパッド１０の構成を簡略的に示す斜視図である。この図に示されるように、イヤーパッド１０は、略円環状、端的にいえばドーナツ状である。図３は、イヤーパッド１０を、円環における小円１１ｂに沿って破断した場合の断面図である。
なお、ここでいう大円１１ａとは、円環を図３の上または下側から眺めたときに、円環における外周と内周との中間の円をいい、小円１１ｂとは、円環の直径に沿って切断したときに現れる円をいう。
【００１１】
図２および図３に示されるように、イヤーパッド１０は、ドーナツ状の緩衝材１２を第１被覆材１４ａと第２被覆材１４ｂとを例えば縫製により被覆した構成となっている。なお、図２において、符号１５ａは、円環の内側に位置する第１被覆材１４ａと第２被覆材１４ｂとの縫い目であり、符号１５ａは、円環の外側に位置する第１被覆材１４ａと第２被覆材１４ｂとの縫い目である。
【００１２】
緩衝材１２は、例えばスポンジやウレタンなど、弾力性および反発性を有する素材で形成される。第１被覆材１４ａは、例えば合成皮革であり、第２被覆材１４ｂは、第１被覆材１４とは異なる素材の、例えばベロアである。
【００１３】
イヤーパッド１０を図３のように断面視した場合に、第１被覆材１４ａは、小円１１ｂのうち下側半分を被覆し、第２被覆材１４ｂは、当該小円１１ｂのうち上側半分を被覆する。ここいう上側半分および下側半分は、あくまでも便宜的であって、重力方向とは無関係の相対的な概念である。
【００１４】
また、外側に位置する縫い目１５ｂは、第１被覆材１４ａおよび第２被覆材１４ｂのみならず、嵌め込み部材１６の一部を縫い込んでいる。嵌め込み部材１６は、例えば、可撓性のある薄手の布地であり、断面視ではベロ状であり、平面視では例えば中心孔を有するディスク状であり、当該ディスクの内周が縫い目１５ｂにおいて縫い込まれている。
一方、嵌め込み部材１６における外周には、バッフル５に取り付けるための取付具１８が設けられている。取付具１８は、例えばプラスティックなどにより断面がコの字状に形成され、嵌め込み部材１６の外周を挟み込んだ状態で接着材等により固着されている。
なお、図２において、嵌め込み部材１６は簡略化のために省略されている。
【００１５】
図４および図５は、バッフル５に対するイヤーパッド１０の取付例を示す図である。
バッフル５には、取付具１８が挿入される溝６が形成されている。溝６は図において弾力性を有し、溝６の幅（図において上下方向）は、取付具１８の高さよりも狭い。
このため、取付具１８が溝６に挿入されると、当該溝６の弾力性によりイヤーパッド１０がバッフル５に保持される。
【００１６】
本実施形態において、バッフル５に対するイヤーパッド１０の取付態様は、図４に示されるように、第２被覆材１４ｂをバッフル５の側にして、第１被覆材１４ａを下側とする態様と、図５に示されるように、第１被覆材１４ａをバッフル５の側にして、第２被覆材１４ｂを下側とする態様と、の２通りがある。
【００１７】
図４および図５において下側は、バッフル５の反対側、すなわちユーザーの耳介に当たる側である。
このため、図４の取付例で、ユーザーがヘッドフォン１を装着した場合、第１被覆材１４ａが当該ユーザーの耳介に当たり、図５の取付例で、ヘッドフォン１を装着した場合、第２被覆材１４ｂが当該ユーザーの耳介に当たる。
したがって、ユーザーは、周辺環境等に対して、第１被覆材１４ａが好ましいと考えれば、図４に示される例でイヤーパッド１０をバッフル５に取り付け、また、第２被覆材１４ｂが好ましいと考えれば、図５に示される例でイヤーパッド１０をバッフル５に取り付けることができる。
【００１８】
本実施形態では、１個のイヤーパッド１０を、第１被覆材１４ａをユーザーの耳介に当てる場合と、第２被覆材１４ｂをユーザーの耳介に当てる場合との２通りで使用でき、異なる装着感を１個のイヤーパッド１０で得ることができる。
このため、本実施形態によれば、第１被覆材１４ａおよび第２被覆材１４ｂの素材を、ユーザーの嗜好や、用途、周辺環境等に応じて用意しても、必要なイヤーパッド１０の個数を、１種の被覆材で緩衝材を被覆した従来のイヤーパッドと比較して半分に減らすことができるので、ユーザーへの面倒を軽減しつつ、周辺環境等に応じて適切なイヤーパッドを選択することができるのである。
【００１９】
本発明は、上述した実施形態に限定されるものではなく、例えば次に述べるような各種の応用・変形が可能である。なお、次に述べる応用・変形の態様は、任意に選択された一または複数を適宜に組み合わせることもできる。
【００２０】
実施形態においてイヤーパッド１０は、装着面からみたときに円形であったが、楕円形や、卵形、長円形であっても良い。すなわち、円環には、装着面からみたときに、円形のみならず、楕円形や卵形、長円形となる形状が含まれる。
【００２１】
嵌め込み部材１６は、イヤーパッド１０をバッフル５に取り付けることができれば良いので、中心孔を有するディスクではなく、一端がイヤーパッド１０に固定され、他端がバッフル５に挿入される帯のような形状であっても良い。
【００２２】
また、バッフル５にイヤーパッド１０を嵌め込む部材１６以外によって取り付けても良い。例えば、バッフル５にイヤーパッド１０を押し込むことによって取り付けても良い。
詳細には、バッフル５においてイヤーパッド１０が嵌め込まれる部分を、イヤーパッド１０の外形よりもやや狭く形成し、イヤーパッド１０をバッフル５に押し込むことにより取り付け、イヤーパッド１０自身の復元力でバッフル５に保持される構成としても良い。
【００２３】
実施形態では、第１被覆材１４ａを合成皮革とし、第２被覆材１４ｂをベロアとしたが、例えばポリ塩化ビニルなど、他の素材との組み合わせであっても良いのはもちろんである。
【符号の説明】
【００２４】
１…ヘッドフォン、３…ヘッドバンド、５…バッフル、１０…イヤーパッド、１４…被覆材、１４ａ…第１被覆材、１４ｂ…第２被覆材、１６…嵌め込み部材。
【図１】
2018142765.tif 000003
【図２】
2018142765.tif 000004
【図３】
2018142765.tif 000005
【図４】
2018142765.tif 000006
【図５】
2018142765.tif 000007